(57)【要約】【課題】工程において工数アップとならないこと、不要輻射性能が低下しないこと、および特殊な部品を使ってコストアップになることがない改造防止装置を提供することを目的とする。【解決手段】プリント基板と、プリント基板を囲い込む金属製のシールドケースと、シールドケースがプリント基板から離れたことを検出する検出手段と、検出手段がシールドケースがプリント基板から離れたことを検出するとプリント基板の動作を停止させる制御手段とを備え、プリント基板は、シールドケースをプリント基板のグラウンドに接続するグラウンド接続用ランドと検出手段に接続した検出用ランドとが絶縁しながら周囲に配置され、シールドケースをプリント基板に固定したときに、グランド接続手段と検出手段とシールドケースとがグラウンド電位になることを特徴とする。【選択図】図１
2010068404.tif 000002
【特許請求の範囲】
【請求項１】
プリント基板と、前記プリント基板を囲い込む金属製のシールドケースと、前記シールドケースが前記プリント基板から離れたことを検出する検出手段と、前記検出手段が前記シールドケースが前記プリント基板から離れたことを検出すると前記プリント基板の動作を停止させる制御手段とを備え、
前記プリント基板は、前記シールドケースを前記プリント基板のグラウンドに接続するグラウンド接続用ランドと前記検出手段に接続した検出用ランドとが絶縁しながら周囲に配置され、前記シールドケースを前記プリント基板に固定したときに、前記グランド接続手段と前記検出手段とシールドケースとがグラウンド電位になることを特徴とする改造防止装置。
【発明の詳細な説明】
【技術分野】
【０００１】
本発明は、シールドケースによって閉じられるプリント基板の回路を、シールドケースの不正な開放から保護する改造防止装置に関するものである。
【背景技術】
【０００２】
ＣＡＴＶなどの放送においては、有料コンテンツを未契約の視聴者が見ることができないように暗号化された放送コンテンツが送信されている。特に、デジタル放送を受信して復号化されたトランスポートストリーム（以下ＴＳと呼ぶ）信号については、第３者によってシールドケースが開けられてＴＳ信号をコピーされたり、波形を記録されたりすることを防ぐ必要がある。
【０００３】
図４は従来の改造防止装置の第１例の組立斜視図である。従来の改造防止装置の第１例は、プリント基板１と、シールドケース２および３と、ネジ４と、スルーホール５と、改造検出用パッド（以下パッドと呼ぶ）６と、シールドケース２に設けられた改造検出用折り曲げ部（以下折り曲げ部と呼ぶ）７と、ねじ止め部８と、ランド９から構成されている。
【０００４】
プリント基板１の４隅にはネジが容易に通過できる大きさのスルーホール５が設けてある。そして、プリント基板１の上下にプリント基板１をはさむようにシールドケース２および３を配置し、シールドケース２、３の４隅のねじ止め部８とプリント基板１の４隅のスルーホール５をネジ４によって固定する。プリント基板１の部品面およびはんだ面にはスルーホール５の周囲にランド９が設けている。そして、スルーホール５およびランド９はプリント基板１のグラウンドに接続されているので、シールドケース２および３のネジ止め部８がプリント基板１とネジ止めされる際には、ネジ止め部８はランド９と接触することとなる。シールドケース２の中央部には２カ所に折り曲げ部７が設けてあり、シールドケース２とプリント基板１がネジ４で固定される際に、折り曲げ部７はプリント基板１上に設けられた２カ所のパッド６と接触するようになっている。そして、プリント基板１とシールドケース２の組み立て時には折り曲げ部７とプリント基板上のパッド６は半田付けされる。
【０００５】
このように構成された従来の改造防止装置の第１例の接続を示す模式的な回路図を図５に示す。図４と同じシールドケース２、スルーホール５、パッド６、折り曲げ部７、ランド９と、更に、抵抗１２、ＣＰＵ１３、ＯＲ回路１４、電源回路１５から構成されている。シールドケース２がプリント基板１とネジ止めされ、折り曲げ部７がパッド６とハンダ付けされると、パッド６はシールドケース２の折り曲げ部７およびネジ止め部８、スルーホール５の周囲のランド９を介してプリント基板１のグラウンドに接続される。一方、２カ所のパッド６はＯＲ回路１４に接続されるが途中抵抗１２によって電源電圧にプルアップされ、ＯＲ回路１４の出力はＣＰＵ１３に接続されている。
【０００６】
シールドケース２が正常にプリント基板１とネジ止めされていれば、パッド６はシールドケース２を介してプリント基板１のグラウンドに接続されるので、パッド６の電位が２カ所ともグラウンドレベルとなり、ＯＲ回路１４の出力もグラウンドレベルとなるので、ＣＰＵ１３はＯＲ回路１４の出力としてグラウンドレベルを検出すればシールドケースが正常に閉じられている、すなわち、改造されていないと判断し、各回路を通常通り動作させる。
【０００７】
もしパッド６と折り曲げ部７の半田付けがはずされ、シールドケース２のネジ止めがはずされてシールドケース２が開けられると、パッド６と折り曲げ部７の接続、あるいはネジ止め部８とランド９の接続がなくなるので、パッド６はオープン状態となり、パッド６の電位はプルアップ抵抗１２を介して電源電圧にプルアップされる。そして、ＯＲ回路１４は２カ所の入力のうち一方でも電源電圧となれば、ＯＲ回路１４は電源電圧を出力する。そして、ＣＰＵ１３はＯＲ回路１４の出力として電源電圧を検出すると、シールドケース２は改造されたと判断して、電源回路１５の動作を停止させる。
【０００８】
また、図６に従来の改造防止装置の第２例の接続を示す模式的な回路図を示す。パッド６と折り曲げ部７を削除し、プリント基板１の４隅のランド９のうち２カ所のランド９はプリント基板１のグラウンドに接続され、残りの２カ所のランド１６はＯＲ回路１４に接続するようにしたものである。
【０００９】
このように構成することにより従来の改造防止装置の第２例では、シールドケース２がプリント基板１に正常に固定されていれば、ランド１６はシールドケース２、ランド９を介してプリント基板１のグラウンドに接続されるのでグラウンドレベルになる。一方、２カ所のランド１６はＯＲ回路１４に接続される。ＯＲ回路１４の２つの入力電圧がグラウンドレベルであれば、ＯＲ回路１４の出力はグラウンドレベルになるので、ＣＰＵ１３はＯＲ回路１４の出力としてグラウンドレベルを検出すれば、シールドケース２は改造されていないと判断して電源回路１５を正常に動作させていた。
【００１０】
もしシールドケース２がプリント基板１からはずされると、ランド１６とネジ止め部８の接続、あるいは、ネジ止め部８とランド９の接続がなくなるので、ランド１６はオープン状態となり、ランド１６の電位は抵抗１２によって電源電圧にプルアップされる。そして、ＯＲ回路１４の２カ所の入力のうち１方でも電源電圧になれば、ＯＲ回路１４は電源電圧を出力する。そして、ＣＰＵ１３はＯＲ回路１４の出力として電源電圧を検出するとシールドケース２は改造されたと判断して、電源回路１５の動作を停止させる。
【００１１】
また、従来の改造防止装置の第３例では、プリント基板上とシールドケース上にホール素子および磁石を設けてシールドケースが開けられたことを磁束の変化で検出し、シールドケースが開けられたことをマイコンが検出すれば動作を停止したりメモリの内容を書き換えたりしていた（例えば特許文献１参照）。
【特許文献１】特開２００６−２２９６６７号公報
【発明の開示】
【発明が解決しようとする課題】
【００１２】
しかしながら、上記従来の改造防止装置の第１例では、プリント基板１上のパッド６に熱容量の大きなシールドケース２をはんだ付けするため、工程においてシールドケース２とパッド６とのハンダ付けに時間がかかるなど工数アップとなっていた。また、はんだ付けせずにパッド６とシールドケース２を接触させる構造も考えられるが、パッド６や折り曲げ部７が経年変化で錆びたり変形したりすることにより導通しなくなる場合があり、その場合にＣＰＵ１３がパッド６が接続されていないと判断して動作を停止してしまうなど誤動作する恐れがあった。
【００１３】
また、上記従来の改造防止装置の第２例では、プリント基板１の４隅のうち２カ所のランド９はプリント基板１のグラウンドに接続し、残りの２カ所のランド１６はＯＲ回路１４に接続するようにしたため、シールドケース２の全方位をプリント基板１のグラウンドに接続していない状態となっている。この結果、シールドケース２の本来の目的である不要輻射性能のシールド効果が低下するという問題があった。
【００１４】
また、上記従来の改造防止装置の第２例では、プリント基板上とシールドケース上にホール素子および磁石を設けるなど、本来の装置の動作に必要でない特殊な部品が必要でコストアップになるという問題があった。
【００１５】
本発明は、前記従来の課題を解決するもので、シールドケースの固定工程において工数アップとならないこと、不要輻射性能のシールド特性が低下しないこと、および特殊な部品を使ってコストアップになることがない改造防止装置を提供することを目的とする。
【課題を解決するための手段】
【００１６】
前記従来の課題を解決するために、本発明の改造防止装置は、プリント基板と、前記プリント基板を囲い込む金属製のシールドケースと、前記シールドケースが前記プリント基板から離れたことを検出する検出手段と、前記検出手段が前記シールドケースが前記プリント基板から離れたことを検出すると前記プリント基板の動作を停止させる制御手段とを備え、前記プリント基板は、前記シールドケースを前記プリント基板のグラウンドに接続するグラウンド接続用ランドと前記検出手段に接続した検出用ランドとが絶縁しながら周囲に配置され、前記シールドケースを前記プリント基板に固定したときに、前記グランド接続手段と前記検出手段とシールドケースとがグラウンド電位になることを特徴とする。
【００１７】
本構成によって、正常にシールドケースが固定されている場合、改造検出用ランドはシールドケースを介して通常動作においてシールドケースのグラウンド接続を十分確保したことにより不要輻射性能は低下することがなく、また特殊な部品も必要としないのでコストアップもなく、また何ら工数を増やすことがない。またシールドケースがはずされた場合、改造検出用ランドの出力が電源電圧になるのでＣＰＵはこれを検出すると電源の動作を停止させることにより、改造を防止することが可能である。
【発明の効果】
【００１８】
本発明の改造防止装置によれば、特殊な部品を必要としない安価な部品で、シールドケースを固定するだけの工数で、かつ、シールドケース全体で不要輻射性能のシールド特性を確保することができるという効果がある。
【発明を実施するための最良の形態】
【００１９】
（実施の形態１）
図１は本発明の実施の形態１における改造防止装置の組立斜視図である。本発明の改造防止装置は、プリント基板１、金属製のシールドケース２、シールドケース３、ネジ４、スルーホール５、ネジ止め部８、および本発明の特徴であるグラウンド接続用ランド１０、改造検出用ランド１１から構成されている。
【００２０】
図２は本発明の実施の形態１における改造防止装置の接続用ランドの拡大図であり、本発明の特徴であるグラウンド接続用ランド１０、および改造検出用ランド１１について、シールドケース２のネジ止め部８との位置関係を示した組立斜視図である。
【００２１】
図３は本発明の実施の形態１における改造防止装置の接続を示す模式的な回路図であり、シールドケース２、抵抗１２、ＣＰＵ１３、ＯＲ回路１４、電源回路１５は、従来の改造防止装置の第１例の図４と同じである。そして、従来の改造防止装置の第１例と異なる主な点は、プリント基板１の４隅のスルーホール５の近傍に、グラウンド接続用ランド１０と改造検出用ランド１１が絶縁されながら１対で配置されている。そして、グラウンド接続用ランド１０はプリント基板１のグラウンドに接続されており、改造検出用ランド１１はＯＲ回路１４に接続されている。
【００２２】
シールドケース２がネジ４によってプリント基板１に四隅のスルーホール５で固定されると、図２に点線で示したように、シールドケース２のネジ止め部８はグラウンド検出用ランド１０と改造検出用ランド１１に密着するように固定される。このときグラウンド接続用ランド１０はプリント基板１のグラウンドに接続されているので、改造検出用ランド１１の電位はシールドケース２を介してグラウンドに接続されグラウンドレベルになる。残りの改造検出用ランド１１も同じくグラウンドレベルとなるので、ＯＲ回路１４の４本の入力信号はすべてグラウンドレベルとなり、ＯＲ回路１４からの出力もグラウンドレベルとなる。これにより、ＣＰＵ１３は改造されていないと判断し、電源回路１５をオンにして各回路を正常に動作させる。
【００２３】
もしシールドケース２のネジ止め部８が、１カ所でもはずされると改造検出用ランド１１とグラウンド接続用ランド１０の接続がオープンになるので、改造検出用ランド１１の電位はプルアップ抵抗１２により電源電圧にプルアップされる。つまり、ＯＲ回路１４の入力が１本でも電源電圧になればＯＲ回路１４の出力は電源電圧になるので、ＣＰＵ１３はＯＲ回路１４の出力として電源電圧を検出すると改造されたと判断し、電源回路１５をオフにして各回路の動作を停止させる。
【００２４】
かかる構成によれば、プリント基板の４隅のスルーホールの近傍に、グラウンド接続用ランドと改造検出用ランドを配置し、シールドケースをスルーホールでねじ固定することにより、グラウンド接続用ランドと改造検出用ランドとシールドケース全体がグラウンド電位となり、特殊な部品を必要としない安価な部品で、シールドケースを固定するだけの工数で、かつ、シールドケース全体で不要輻射性能のシールド特性を確保することができる。
【００２５】
なお、本実施の形態において、電源回路をオフさせる方法をとったが、電源回路をオンのままで信号の波形などを観測されたくない回路だけをオフする方法でもよい。
【産業上の利用可能性】
【００２６】
本発明にかかる改造防止装置は、特殊な部品を必要としない安価な部品で、シールドケースを固定するだけの工数で、かつ、シールドケース全体で不要輻射性能のシールド特性を確保することが可能になるので、シールドケースによって閉じられるプリント基板の回路を、シールドケースの不正な開放から保護する改造防止装置等として有用である。
【図面の簡単な説明】
【００２７】
【図１】本発明の実施の形態１における改造防止装置の組立斜視図
【図２】本発明の実施の形態１における改造防止装置の接続用ランドの拡大図
【図３】本発明の実施の形態１における改造防止装置の接続を示す模式的な回路図
【図４】従来の改造防止装置の第１例の組立斜視図
【図５】従来の改造防止装置の第１例の接続を示す模式的な回路図
【図６】従来の改造防止装置の第２例の接続を示す模式的な回路図
【符号の説明】
【００２８】
１    プリント基板
２    シールドケース
３    シールドケース
４    ネジ
５    スルーホール
６    改造検出用パッド
７    改造検出用折り曲げ部
８    ネジ止め部
９    ランド
１０    グラウンド接続用ランド
１１    改造検出用ランド
１２    抵抗
１３    ＣＰＵ
１４    ＯＲ回路
１５    電源回路
１６    ランド
【図１】
2010068404.tif 000003
【図２】
2010068404.tif 000004
【図３】
2010068404.tif 000005
【図４】
2010068404.tif 000006
【図５】
2010068404.tif 000007
【図６】
2010068404.tif 000008